(57)【要約】      （修正有）【課題】学校の理科教材としてのみならず、広く太陽熱を利用して水をお湯にする実験が容易かつ手軽に自作してできる模型組立キットを提供する。【解決手段】食材保存用の耐熱ポリエチレン密閉袋等を水密袋体５とし、袋体を保持する匡体として防水処理した厚紙や樹脂板を使用して集熱用平水槽部５ａ及び連続して直立する貯湯槽部５ｂが形成できる形状に匡体を構成する。貯湯槽の開口部上面は集熱用平水槽部とは逆方向に約３０度外傾し、同じ角度に傾斜した蓋状匡体が外包しているので傾斜蓋４ａが水平になるように本模型キットを太陽光方向に設置すれば平水槽受光窓２ａは約３０度傾き効率良く太陽熱を集熱する。また平水槽部分の水袋上面には集熱用金属板６を載せ、平水槽底部及び蓋状匡体内側には断熱板４ｃを備え更に受光窓全体を透明フィルム７で密閉することにより太陽熱を効率良く利用できる。【選択図】図２
0003193642.tif 000002
【実用新案登録請求の範囲】
【請求項１】
上面の開口部を受光窓とする垂直方向に浅い直方体を集熱用平水槽用匡体となし、前記匡体の短辺と同寸の一辺を長辺とし前記平水槽用匡体の長辺の略４分の一の辺長を短辺とする下部開口部を有する直立筒状体を貯湯槽用匡体となし、前記集熱用平水槽用匡体上部に前記貯湯槽用匡体が連続して載置された太陽熱温水器模型キットにおいて、前記貯湯槽用匡体の下部開口部の長辺の少なくとも一辺が外向フランジ縁として伸展され該フランジ縁が前記受光窓の一辺を構成し、前記貯湯槽用匡体の上部開口面が該上部開口面を構成する外側長辺を回転軸として前記集熱用平水槽用匡体の受光窓と逆向きに略３０度外側方向に傾斜していることを特徴とする太陽熱温水器模型キット。
【請求項２】
前記集熱用平水槽用匡体及び前記貯湯槽用匡体からなる連続匡体に、略Ｃ字状に形成された導水パイプを内封した水密袋体を内装し、該水密袋体の集熱用平水槽をなす上面部には前記平水槽用匡体の受光窓と略同一寸法で表面を黒化した集熱用金属板を載置し、該水密袋体の開口部が前記貯湯槽用匡体の筒状壁面外面全周に折返され、該水密袋体の折返し部は前記貯湯槽用匡体の上部開口面と相似形を有する傾斜型蓋状匡体により外包されていることを特徴とする請求項１記載の太陽熱温水器模型キット。
【請求項３】
前記集熱用平水槽用匡体内側底面には該底面と略同一寸法の断熱素材が内装され、前記傾斜型蓋状匡体の傾斜面内側には該傾斜面と略同一寸法の断熱素材が内装され、前記集熱用平水槽用匡体の受光窓は前記貯湯槽用匡体の外向フランジ縁と共に別途透明フィルム体によって密閉包装されて成ることを特徴とする請求項１記載の太陽熱温水器模型キット。
【考案の詳細な説明】
【考案の詳細な説明】
【技術分野】
【０００１】本考案は、太陽熱を利用して水をお湯にする実験が比較的身近にある安価な素材を利用して容易かつ手軽に自作してできる模型組立キットに関するものである。
【背景技術】
【０００２】  従来、屋外使用を前提としてシャワーや食器洗い等に実用可能な携帯できる程小型で貯留した水を自然循環式にお湯に変えてゆく太陽熱温水器が知られている。しかしながらそれらは実用を想定しているために貯留水は１リットル以上の水量があって比較的重くまたその受光採熱手段も、渦巻き状にした長い熱吸収ホースや黒色の水密袋を使用する等各部品の接合部が多く、当然漏水のない堅固な継ぎ手を必要とする複雑な構成であり、必ずしも小型軽量簡易型とは言えないものが多い。またお湯を多量に使う事を前提にせず、幼児や学童等が太陽熱の力を実験的に体験できる事を主たる目的にした実験キットには見るべき前例が少ないのが実情である。
【先行技術文献】
【特許文献】
【０００３】
【特許文献１】特開平１０−０３８３８６号公報
【考案の概要】
【考案が解決しようとする課題】
【０００４】  本考案の目的はこのような従来型の実用を重視するためにある程度多量のお湯を作る必要があり、従って堅固な貯水部材あるいは強固な継ぎ手を要する等比較的重く大形になりがちであった難点を解消して、幼児や学童等が理科の授業等の必要に合わせて自然循環式の太陽熱温水器を自力で組立て太陽熱による温水化実験を自力で実行できる程に組立てが容易な構造を有し且つ安価であり、従来の携帯型太陽熱温水器が有する難点を解消するもので、例えば水温、経過時間、お湯の温度に関するデ−タを採取しやすく且つ太陽光を受けやすい簡便な設置方法を考慮した構造等、理科実験に適する太陽熱温水器模型キットを提供することにある。
【課題を解決するための手段】
【０００５】  請求項１に記載の考案によれば、本太陽熱温水器模型キットは水槽となる水密袋体５．とこの袋体を納める匡体からなり、更に匡体は平水槽用匡体２．と貯湯槽用匡体３．から構成される。平水槽用匡体は平面矩形の辺長に比して深さは極めて浅く且つ上面はその殆どが開口部であり外向フランジ縁部３ｂと共に受光窓２ａを構成する。本器匡体の素材は耐水処理した厚紙や樹脂シート等安価且つ加工や印刷に適した極めて量産しやすい素材であり、幼児や学童等が入手しやすいものである。また平水槽用匡体２．に直立する貯湯槽用匡体３．の上面開口部は受光窓部２ａ．と逆方向に約３０度外側に傾斜して傾斜型注排水口部３ｃ．を構成することにより、課題を解決している。【０００６】  請求項２に記載の考案によれば、請求項１の特徴を有する匡体には略Ｃ字状パイプ５ｄ．が内挿された一体の水密袋体５．が内装される。本袋体は平水槽用匡体２．内装部分は集熱用平水槽部５ａ．となり、貯湯槽用匡体３．内装部分は貯湯槽部５ｂ．となるので何らの接合部や継ぎ手を要さずに自然循環式の全水槽を一袋体で構成し、集熱用平水槽部５ａ．上面には受光窓２ａと略同一寸法の表面を黒化した集熱用金属板６．を密着させて載置し、本水密袋体５．の開口部は貯湯槽用匡体３．の外壁面に折返され貯湯槽用匡体３．に相似形の傾斜型蓋状匡体５．が被さって成ることを特徴としている。【０００７】  請求項３に記載の考案によれば、平水槽用匡体２．の底面内側及び傾斜型蓋状匡体５．の蓋板内側には各々断熱板２ｃ．，４ｃが内装され、平水槽用匡体２．は外向フランジ縁部３ｂ．を含んで受光窓部２ａ．に載置した透明フィルム体７．で密着外包されており、太陽熱を効果的に冷水に伝導させ且つ取込んだ熱を保持しやすい構成として成ることを特徴としている。
【考案の効果】
【０００８】  上述のように本考案の太陽熱温水器模型キットは、太陽熱を受光採取して冷水を温水に加熱する自然循環式を採用しており基本的には屋外用等で実用化されている実機と同じ原理であるが、部品の構成要素を極力少なく限定して短時間で組立完了することができる。例えば冷水を入れる水密袋体は集熱用平水槽部と貯湯槽部に独立分離しておらず、一体の水密袋を外包する匡体に沿わせることにより機能分離させている構造であり、通常必要な継ぎ手や防水接続部分が不要になるので匡体を組立てさえすれば後は水密袋体を匡体に沿わせて内挿する事により集熱用平水槽部と貯湯槽部が同時に完成することになる。また、貯湯槽用匡体に沿わせて折返した水密袋体の開口部は矩形状に広いので注水しやすく且つ水温計を挿入しやすく冷水や温水の温度変化を系時的に計測しやすいものであり、同時に傾斜蓋部は約３０度後傾しているのでこの蓋が地面に対して水平になるように太陽に向けて本器を水平面に設置すれば傾斜計を要さずに容易に集熱用平水槽部を約３０度傾斜して太陽に対向することを得る。従って本考案の太陽熱温水器模型キットは、初心者の大人が容易に組立てて体験できるのみならず、学校の理科教育用教材として幼児や学童でも簡易且つ手軽に太陽熱の力を利用して冷水を温水に変える体験ができ、必要な実験データを採取しやすく考案された身近な材料を利用した安価かつ簡便な組立模型キットである。
【実施例】
【０００９】  以下、添付図面に従って一実施齢を説明する。［第１図］によって説明すると本図は全部品を組立てて水密袋体５．には傾斜型注排水口部３ｃ．から溢水しない程度に注水して傾斜型蓋状匡体５．を被せ、平水槽用匡体２の底面前縁辺を中心軸として約３０度前傾している状態における本考案太陽熱温水器模型キットの斜視図である。【００１０】  ［第２図］によって説明すると、本図は［第１図］の前傾する直前で平水槽用匡体２の底面が地表に対して水平である状態における中央部縦断面図である。【００１１】  ［第３図］によって説明すると、本図は［第１図］における構造分解図である。傾斜型蓋状匡体５．から略Ｃ字状パイプ５ｄ．が内挿された水密袋体５．に至る構成部品を載置順に並べたものである。【００１２】  ［第４図］によって説明すると、本図は［第１図］における構造分解図である。［第３図］の続きであり、断熱板２ｃ．から透明フィルム体７．に至る構成部品を載置順に並べたものである。
【図面の簡単な説明】
【００１３】
【図１】本考案の太陽熱温水器模型キットの実施例の使用状態を示す斜視図である。
【図２】［１図］の中央縦断面を示す拡大断面図である。
【図３】本装置の構成部品を示す斜視図である。
【図４】本装置の構成部品を示す斜視図である。
【符号の説明】
【００１４】１  「太陽熱温水器模型キット」本体
２    集熱用平水槽用匡体
２ａ  受光窓部
２ｂ  底板部
２ｃ  断熱板
３    貯湯槽用匡体
３ａ  直立筒体部
３ｂ  外向フランジ縁部
３ｃ  傾斜型注排水口部
４    傾斜型蓋状匡体
４ａ  傾斜蓋部
４ｂ  折返し押え部
４ｃ  断熱板
５    水密袋体
５ａ  集熱用平水槽部
５ｂ  貯湯槽部
５ｃ  折返し部
５ｄ  Ｃ字状パイプ
６    集熱用金属板
７    透明フィルム体
８    水
【図１】
0003193642.tif 000003
【図２】
0003193642.tif 000004
【図３】
0003193642.tif 000005
【図４】
0003193642.tif 000006
【手続補正書】
【提出日】平成26年7月22日(2014.7.22)
【手続補正１】
【補正対象書類名】実用新案登録請求の範囲
【補正対象項目名】請求項３
【補正方法】変更
【補正の内容】
【請求項３】
前記集熱用平水槽用匡体内側底面には該底面と略同一寸法の断熱素材が内装され、前記傾斜型蓋状匡体の傾斜面内側には該傾斜面と略同一寸法の断熱素材が内装され、前記集熱用平水槽用匡体の受光窓は前記貯湯槽用匡体の外向フランジ縁と共に別途透明フィルム体によって密閉包装されて成ることを特徴とする請求項２記載の太陽熱温水器模型キット。